(57)【要約】      （修正有）【課題】着用者の状態によらず、容易に着用可能なロンパースを提供する。【解決手段】ロンパース１は、前面側胴体部１１ａ、前面側肩当部１２ａ、前面側股当部１３ａ、及び前面側脇当部１４ａからなる前身頃１ａと、後面側胴体部１１ｂ、後面側肩当部１２ｂ、後面側股当部１３ｂ、及び後面側脇当部１４ｂからなる後ろ身頃１ｂによって構成される。前面側肩当部と後面側肩当部には夫々、互いに対応する位置に肩部連結具１２１ａ、１２１ｂが設けられ、前面側股当部と後面側股当部には夫々、互いに対応する位置に股部連結具１３１ａ、１３１ｂが設けられ、前面側脇当部と後面側脇当部には夫々、互いに対応する位置に脇部連結具１４１ａ、１４１ｂが設けられている。一方、前面側胴体部と後面側胴体部は、前面側脇当部１４ａ及び後面側脇当部１４ｂが設けられている脇とは異なる脇線部分１６において連設している。【選択図】図１
0003196300.tif 000002
【実用新案登録請求の範囲】
【請求項１】
上衣と下衣が一体的に構成されると共に、一枚の布状に展開可能であって、所定の連結具同士を結合させて着用されるロンパースであって、
着用者の胴体の前面側を覆う前面側胴体部と、
上記前面側胴体部に連設すると共に、略帯状からなり、上記着用者の左右両肩を前面側から覆う一対の前面側肩当部と、
上記前面側胴体部に連設すると共に、上記着用者の股間を前面側から覆う前面側股当部と、
上記前面側胴体部に連設し、上記着用者の一方の脇を覆う前面側脇当部と、からなり、上記着用者の前面側を覆う前身頃と、
上記着用者の胴体の後面側を覆う後面側胴体部と、
上記前面側胴体部に連設すると共に、略帯状からなり、上記着用者の左右両肩を後面側から覆う一対の後面側肩当部と、
上記前面側胴体部に連設すると共に、上記着用者の股間を後面側から覆う後面側股当部と、
上記後面側胴体部に連設し、上記着用者の一方の脇を覆う後面側脇当部と、からなり、上記着用者の後面側を覆う後ろ身頃と、を有し、
上記一対の前面側肩当部と上記一対の後面側肩当部には夫々、互いに対応する位置に所定の肩部連結具が設けられており、
上記前面側股当部と上記後面側股当部には夫々、互いに対応する位置に所定の股部連結具が設けられており、
上記前面側脇当部と上記後面側脇当部には夫々、互いに対応する位置に所定の脇部連結具が設けられており、
上記前面側胴体部と上記後面側胴体部とは、上記前面側脇当部及び上記後面側脇当部が設けられている側の脇とは異なる他方の脇線部分において連設している、
ことを特徴とするロンパース。
【請求項２】
上衣と下衣が着脱自在に構成されている、
請求項１記載のロンパース
【請求項３】
上記肩部連結具、上記股部連結具、及び上記脇部連結具は夫々、面ファスナによって構成される、
請求項１又は２記載のロンパース。
【請求項４】
上記肩部連結具、上記股部連結具、及び上記脇部連結具は、上記前身頃において、表面又は裏面のいずれか一方の面に設けられると共に、上記後ろ身頃において、上記前身頃とは異なる他方の面に設けられている、
請求項３記載のロンパース。
【請求項５】
上記肩部連結具、上記股部連結具、及び上記脇部連結具は夫々、スナップファスナ、フック、ボタン、紐のいずれかによって構成される、
請求項１又は２記載のロンパース。
【考案の詳細な説明】
【技術分野】
【０００１】
本考案は、着用者の状態に関わらず、簡易に着衣可能としたロンパースに関する。
【背景技術】
【０００２】
従来、乳幼児や要介護者の着衣、特に肌着として、ロンパースが広く用いられている。
ロンパースは、上衣と下衣が一体となった繋ぎ衣類であり、通常、肩線と脇線において前身頃と後ろ身頃が縫着される一方、着用者の股部分に当たる箇所は、前身頃と後ろ身頃がファスナ等で開放可能に連結されるようになっている。
【０００３】
しかしながら、ロンパースの着用者の状態によっては、非常に着用させにくい場合がある。即ち、着用者が障害を負っていたり、腕に点滴等のチューブを付けていたりする場合、あるいは着用者が重度の要介護者であったりする場合には、着用者の腕に袖を通したり、頭からロンパースを被せたりすることが困難なときがある。
【０００４】
このような点に鑑み、特許文献１には、四方に展開自在の一枚布状の主体の、中央部内面おむつ装着範囲に防水面を形成し、防水面に続けて一方に前身頃胸当布部を、他方に後ろ身頃背当布部を形成し、後ろ身頃の左右両翼に腹部被包片を形成し、前身頃胸当布部と後ろ身頃背当布部の両先端部を夫々左右に分けて衿状に形成し、衿の先端部に前肩打合バンド、後肩打合バンドを形成し、上記主体を中央部より内側に折り返して肩部、腹部を夫々係止具で係止し着衣状に構成したロンパース型ベビー用おむつカバーが提案されている。
【先行技術文献】
【特許文献】
【０００５】
【特許文献１】公開実用昭６２−４６６０５号公報
【考案の概要】
【考案が解決しようとする課題】
【０００６】
上記特許文献１記載のロンパース型ベビー用おむつカバーでは、着用者に着用させる際、水平状に広げた主体の内面上に着用者を仰向けに寝かせた状態から、前身頃胸当布部を股部から腹部へ引き上げ、前肩打合バンドと後肩打合バンドとを、面ファスナで係止する。さらに、腹部被包片を持って腹部を左右脇から被い包みこみ、前身頃胸当布部の内側に挿し入れて、面ファスナで係止する。
【０００７】
このように、特許文献１記載のロンパース型ベビー用おむつカバーでは、前身頃胸当布部を股部から腹部へ引き上げるという手順を踏むため、着用者は着衣に際して、両脚を大きく開く必要がある。そのため、両脚を大きく開くこと自体に難を抱えている着用者には不向きであるし、着用者が大人の要介護者等であれば、介護者が要介護者の両脚を支えたりするのに苦労するし、要介護者等に対しても、そのような姿勢をとらねばならいという精神的苦痛を与えかねない。
また、おむつを取り替える際には、前肩打合バンドと後肩打合バンドの係止、及び腹部被包片と前身頃胸当布部の係止をほどき、前身頃を着用者から剥がすことになるため、作業が大仰であるし、着用者が必要以上に寒い思いをすることにもなる。さらに、この場合にも、要介護者等に対して、胸部や腹部まで露わにしなければならないという精神的苦痛を与えかねない。
【０００８】
このような問題点に鑑み、本考案は、着用者の状態によらず、容易に着用可能であって、おむつ替えも簡便に行うことができるロンパースを提供することを目的とする。
【課題を解決するための手段】
【０００９】
上記目的を達成するため、本考案に係るロンパースは、上衣と下衣が一体的に構成されると共に、一枚の布状に展開可能であって、所定の連結具同士を結合させて着用されるロンパースであって、着用者の胴体の前面側を覆う前面側胴体部と、略帯状からなり、上記着用者の左右両肩を前面側から覆う一対の前面側肩当部と、上記着用者の股間を前面側から覆う前面側股当部と、からなり、上記着用者の前面側を覆う前身頃と、上記着用者の胴体の後面側を覆う後面側胴体部と、略帯状からなり、上記着用者の左右両肩を後面側から覆う一対の後面側肩当部と、上記着用者の股間を後面側から覆う後面側股当部と、からなり、上記着用者の後面側を覆う後ろ身頃と、を有し、上記一対の前面側肩当部と上記一対の後面側肩当部には夫々、互いに対応する位置に所定の肩部連結具が設けられており、上記前面側股当部と上記後面側股当部には夫々、互いに対応する位置に所定の股部連結具が設けられており、上記前面側胴体部と上記後面側胴体部には夫々、互いに対応する一方の脇線部分に所定の脇部連結具が設けられている一方、上記前面側胴体部と上記後面側胴体部とが、他方の脇線部分において連設していることを特徴とする。
【００１０】
また、上衣と下衣が着脱自在に構成されているものとしてもよい。
【００１１】
また、上記肩部連結具、上記股部連結具、及び上記脇部連結具は夫々、面ファスナによって構成されるものとしてもよい。
【００１２】
また、上記肩部連結具、上記股部連結具、及び上記脇部連結具は、上記前身頃において、表面又は裏面のいずれか一方の面に設けられると共に、上記後ろ身頃において、上記前身頃とは異なる他方の面に設けられているものとしてもよい。
【００１３】
また、上記肩部連結具、上記股部連結具、及び上記脇部連結具は夫々、スナップファスナ、ボタン、フック、紐のいずれかによって構成されるものとしてもよい。
【考案の効果】
【００１４】
本考案によれば、着用者の状態によらず、容易に着用可能であって、おむつ替えも簡便に行うことができる。
【図面の簡単な説明】
【００１５】
【図１】本考案の実施形態に係るロンパースの展開状態を示した平面図であって、（ａ）裏面（内側）、（ｂ）表面（外側）を示す。
【図２】本実施形態に係るロンパースの着用時の状態を示した斜視図である。
【図３】本実施形態に係るロンパースの着用の仕方を示した図である。
【図４】本考案の参考例に係るズボンの展開状態を示した平面図であって、（ａ）裏面（内側）、（ｂ）表面（外側）を示す。
【図５】本考案の参考例に係るズボンの着用の仕方を示した図である。
【図６】本考案の別の実施形態に係るロンパースを示した斜視図である。
【図７】本考案の他の参考例に係るシャツの着用時の状態を示した平面図である。
【図８】本考案の参考例に係るシャツの展開状態を示した平面図である。
【考案を実施するための形態】
【００１６】
以下、本考案の実施形態に係るロンパースについて、図を参照して説明する。
図１及び図２に示されるように、本実施形態に係るロンパース１は、上衣と下衣が一体的に構成された所謂、繋ぎ衣類であり、一枚の布状に展開可能になっている。即ち、このロンパース１は、着用者の前面側を覆う前身頃１ａと着用者の後面側を覆う後ろ身頃１ｂからなり、一方の脇線１６においてのみ開放不能に連設し、他方の脇線１５（１５ａ、１５ｂ）、肩部、及び股部は開放可能となっている。そして、脇線１５（１５ａ、１５ｂ）、肩部、及び股部を開放すると、ロンパース１は一枚の布状に展開することができる。なお、脇線１５ａ、１５ｂは、後述する脇部連結具１５１ａ、１５１ｂ同士が連結された際には、一体的に脇線１５を構成する。
【００１７】
このような本実施形態に係るロンパース１は、例えば、綿、ポリエステル、綿とポリエステルが混合した素材等を編地として作製することができるが、一般的な衣服の編地として使用されるものであれば、その素材等は特に限定されない。
【００１８】
また、ロンパース１の各部にいて詳述していくと、前身頃１ａは、前面側胴体部１１ａ、一対の前面側肩当部１２ａ、前面側股当部１３ａ、及び前面側脇当部１４ａから構成される。
前面側胴体部１１ａは着用者の胴体の前面側を覆う部分であり、この前面側胴体部１１ａには、一対の前面側肩当部１２ａ、前面側股当部１３ａ、及び前面側脇当部１４ａが連設している。
【００１９】
一対の前面側肩当部１２ａは、略帯状からなり、着用者の左右両肩を前面側から覆う。また、前面側股当部１３ａは、着用者の股間部分を前面側から覆う。さらに、前面側脇当部１４ａは、着用者の一方の脇部分、本例では脇線１５ａに相当する部分を覆う。
【００２０】
後ろ身頃１ｂは、後面側胴体部１１ｂ、一対の後面側肩当部１２ｂ、後面側股当部と１３ｂ、及び後面側脇当部１４ｂから構成される。
後面側胴体部１１ｂは着用者の胴体後面側を覆う部分であり、この後面側胴体部１１ｂには、一対の後面側肩当部１２ｂ、後面側股当部１３ｂ、及び後面側脇当部１４ａが連設している。
【００２１】
一対の後面側肩当部１２ｂは、略帯状からなり、着用者の左右両肩を後面側から覆う。また、後面側股当部と１３ｂは、着用者の股間部分を後面側から覆う。さらに、後面側脇当部１４ｂは、着用者の一方の脇部分、本例では脇線１５ｂに相当する部分を覆う。
【００２２】
また、前身頃１ａについて、一対の前面側肩当部１２ａには、裏面側に肩部連結具１２１ａが設けられている。また、前面側股当部１３ａには、裏面側に股部連結具１３１ａが設けられている。さらに、前面側脇当部１４ａには、裏面側に脇部連結具１４１ａが設けられている。
【００２３】
一方、後ろ身頃１ｂについて、一対の後面側肩当部１２ｂには、表面側に肩部連結具１２１ｂが設けられている。また、後面側股当部１３ｂには、表面側に股部連結具１３１ｂが設けられている。さらに、後面側脇当部１４ｂには、表面側に脇部連結具１４１ｂが設けられている。
【００２４】
ここで、肩部連結具１２１ａ、１２１ｂ、股部連結具１３１ａ、１３１ｂ、及び脇部連結具１４１ａ、１４１ｂは、本例では面ファスナによって構成され、互いに対応する位置に設けられている肩部連結具１２１ａ、１２１ｂ同士、股部連結具１３１ａ、１３１ｂ同士、あるいは脇部連結具１４１ａ、１４１ｂ同士は、着用者がロンパース１を着用する際に互いに連結可能となっている。
【００２５】
なお、各連結具は面ファスナのほかに、スナップファスナ、フック、ボタン、あるいは紐によって構成することもできる。
この点、肩部連結具１２１ａ、１２１ｂがファスナやフックによって構成される場合は、一方がボタンで雄型構造、他方が雌型構造をとり、雌雄嵌合によって連結される。また、ボタンによって構成される場合は、一方がボタン、他方がボタンを掛け止るボタン孔を構成し、ボタンがボタン孔に掛け止られて連結される。また、紐によって構成される場合は、紐同士を結ぶことによって連結される。また、面ファスナによって構成される場合は、肩部連結具１２１ａ、１２１ｂの一方がフック面、他方がループ面を構成し、フック面がループ面に係止することで連結される。
また、肩部連結具１２１ａ、１２１ｂ以外の股部連結具１３１ａ、１３１ｂ、あるいは脇部連結具１４１ａ、１４１ｂについても同様である。
【００２６】
なお、本実施形態では、一対の後面側肩当部１２ｂは、一対の前面側肩当部１２ａよりも僅かに長く構成されており、着用者がロンパース１を着用する際には、後面側肩当部１２ｂを後面側から着用者の肩にかけた上、この後面側肩当部１２ｂの上に前面側肩当部１２ａを重ね合わせる。肩部連結具１２１ａ、１２１ｂは、夫々が対応する位置に設けられており、前面側肩当部１２ａと後面側肩当部１２ａを重ね合わせた際、互いと当接するようになっている。
そして、前面側肩当部１２ａの肩部連結具１２１ａと、後面側肩当部１２ｂの肩部連結具１２１ｂとを連結させることにより、前面側肩当部１２ａと後面側肩当部１２ｂとが一体となり、着用者の肩にかかる。
【００２７】
同様に、後面側股当部１３ｂは、前面側股当部１３ａよりも僅かに長く構成されており、着用者がロンパース１を着用する際には、着用者の股間部に後面側股当部１３ｂを後面側から覆いかけた上、この後面側肩当部１３ｂの上に前面側肩当部１３ａを重ね合わせる。股部連結具１３１ａ、１３１ｂは、夫々が対応する位置に設けられており、前面側股当部１３ａに後面側股当部１３ｂを重ね合わせた際、互いと当接するようになっている。
そして、前面側股当部１３ａの股部連結具１３１ａと、後面側股当部１３ｂの股部連結具１３１ｂとを連結させることにより、前面側股当部１３ａと後面側股当部１３ｂとが一体となり、着用者の股間部分を覆う。
【００２８】
さらに同様に、後面側脇当部１４ｂは、後面側脇当部１４ａよりも幅広に構成されており、着用者がロンパース１を着用する際には、着用者の脇に後面側脇当部１４ｂを後面側から覆いかけた上、この後面側脇当部１４ｂの上に前面側脇当部１４ａを重ね合わせる。脇部連結具１４１ａ、１４１ｂは、夫々が対応する位置に設けられており、前面側脇当部１４ａと後面側脇当部１４ａを重ね合わせた際、互いと当接するようになっている。
そして、前面側脇当部１４ａの脇部連結具１４１ａと、後面側脇当部１４ｂの脇部連結具１４１ｂとを連結させることにより、前面側脇当部１４ａと後面側脇当部１４ｂとが一体となり、脇線１５に対応する着用者の一方の脇部分を覆う。
【００２９】
次に、本実施形態に係るロンパース１を着用者が着用する際の手順について、図３を参照して説明する。
まず、一枚の布状に展開されたロンパース１を、表面側を下にして水平に敷く。それから、後ろ身頃１ｂの裏面上に着用者を仰向けに寝かせる。
それから、前身頃１ａを裏面が内側となるよう、脇線１６に従って折り曲げ、後ろ身頃１ｂ上に仰向けになっている着用者に覆い被せる。
【００３０】
続いて、肩部連結具１２１ａ、１２１ｂ、股部連結具１３１ａ、１３１ｂ、及び脇部連結具１４１ａ、１４１ｂを夫々、連結させる。
即ち、後面側肩当部１２ｂを後面側から着用者の肩にかけた上、この後面側肩当部１２ｂの上に前面側肩当部１２ａを重ね合わせる。そして、前面側肩当部１２ａの肩部連結具１２１ａと、後面側肩当部１２ｂの肩部連結具１２１ｂとを連結させる。
また同様にして、着用者の股間部に後面側股当部１３ｂを後面側から覆いかけた上、この後面側肩当部１３ｂの上に前面側肩当部１３ａを重ね合わせる。そして、前面側股当部１３ａの股部連結具１３１ａと、後面側股当部１３ｂの股部連結具１３１ｂとを連結させる。
さらに同様に、着用者の脇に後面側脇当部１４ｂを後面側から覆いかけた上、この後面側脇当部１４ｂの上に前面側脇当部１４ａを重ね合わせる。そして、前面側脇当部１４ａの脇部連結具１４１ａと、後面側脇当部１４ｂの脇部連結具１４１ｂとを連結させる。
【００３１】
これにより、開放されていた肩部、脇部、及び股部のいずれの部分についても、前身頃１ａと後ろ身頃１ｂが一体となり、着用者にロンパース１が着用される。
この本実施形態に係るロンパース１によれば、着用者にロンパース１を着用させる際、着用者に両脚を大きく開かせるなど、大きな動作を要求することがないし、着用者が腕に点滴をしているような場合でも、腕に袖を通すといった動作を要しないので、着用者の状態によらず、着用者に容易にロンパース１を着用させることができる。
また、ロンパース１を着用する着用者がおむつを使用する場合において、おむつを取り替える場合には、単に股部連結具１３１ａ、１３１ｂを開放するだけでよく、必要最小限の動作で済むし、着用者に不必要に寒い思いをさせたり、精神的苦痛を与えたりせずに済む。
【００３２】
なお、以上の本実施形態に係るロンパース１において、各連結具を各箇所に取り付ける個数は特に限定されず、任意の数量によるものとすることができる。
また、各連結具は、前身頃１ａについては裏面側に、後ろ身頃１ｂについては表面側に設けるものとし、これにより、対応する連結具同士を重ね合わせるだけで容易に連結可能としたが、逆に、前身頃１ａについては表面側に、後ろ身頃１ｂについては裏面側に設けても、同様の効果を奏することができる。
【００３３】
次に、本発明の参考例に係るズボンについて、図４を参照して説明する。
本例に係るズボン２は、ロンパース１と同様、所定の箇所で一枚の布状に展開可能に構成された下衣である。即ち、このズボン２は、着用者の前面側を覆う二片の前身頃２ａ、２ｂと着用者の後面側を覆う後ろ身頃２ｃからなり、前面側が中央から観音開き様に前身頃２ａ、２ｂに分かれて開放されるようになっている。
【００３４】
このような本例に係るズボン２は、例えば、綿、ポリエステル、綿とポリエステルが混合した素材等を編地として作製することができるが、一般的な衣服の編地として使用されるものであれば、その素材等は特に限定されない。
【００３５】
また、ズボン２の各部にいて詳述していくと、前身頃２ａは、本体部２１ａ、股上部２２ａ、及びズボン筒部２３ａから構成される。
本体部２１ａは、後ろ身頃２ｃの端部に連設し、着用者の前面側の右側を覆う部分である。また、股上部２２ａは、本体部２１ａの一端側から延び出した部分であり、着用者の前面側の中央部分のうち、股上を覆う。さらに、ズボン筒部２３ａは、本体部２１ａの一端側から延び出した部分であり、着用者の前面側の中央部分の内、大腿部を覆うと共に、ズボン筒を形成する。
【００３６】
前身頃２ｂは、本体部２１ｂ、股上部２２ｂ、及びズボン筒部２３ｂから構成される。
本体部２１ｂは、後ろ身頃２ｃの端部に連設し、着用者の前面側の左側を覆う部分である。また、股上部２２ｂは、本体部２１ｂの一端側から延び出した部分であり、着用者の前面側の中央部分のうち、股上を覆う。さらに、ズボン筒部２３ｂは、本体部２１ｂの一端側から延び出した部分であり、着用者の前面側の中央部分の内、大腿部を覆うと共に、ズボン筒を形成する。
【００３７】
一方、後ろ身頃２ｃは、中央部下方に三角形状の切れ込みが設けられた略矩形状の本体部２１ｃによって構成され、上方が着用者の臀部を覆い、切れ込みが設けられている下方が着用者の大腿部を筒状に覆う。
【００３８】
また、前身頃２ａについて、股上部２２ａには、裏面側に股上部連結具２２１ａが設けられている。また、ズボン筒部２３ａには、裏面側に筒部連結具２３１ａが設けられている。
【００３９】
また、前身頃２ｂについて、股上部２２ｂには、表面側に股上部連結具２２１ｂが設けられている。また、ズボン筒部２３ｂには、裏面側に筒部連結具２３１ｂが設けられている。
【００４０】
一方、後ろ身頃２ｃについて、本体部２１ｃの切れ込みが設けられている部分には、裏面側に筒部連結具２１１ｃ、２１２ｃが一対、設けられている。
【００４１】
ここで、股上部連結具２２１ａ、２２１ｂ、筒部連結具２１１ｃ、２１２ｃ、２３１ａ、２３１ｂは、本例では面ファスナによって構成され、互いに対応する位置に設けられている股上部連結具２２１ａ、２２１ｂ同士、筒部連結具２３１ａ、２１２ｃ同士、あるいは筒部連結具２３１ｂ、２１１ｃ同士は、着用者がズボン２を着用する際に互いに連結可能となっている。
なお、本例においても、各連結具は他のスナップファスナ、フック、ボタン、あるいは紐によって構成することができ、各場合に連結される構成については、上述したロンパース１の例と同様である。
【００４２】
本例において、股上部連結具２２１ａ、２２１ｂ同士が連結されると、これにより、ズボン２の前面側が閉じられる。また、筒部連結具２３１ａ、２１２ｃ同士、あるいは筒部連結具２３１ｂ、２１１ｃ同士が連結されると、これにより、左右の両脚夫々を覆うズボン筒が形成される。
【００４３】
次に、本例に係るズボン２を着用者が着用する際の手順について、図５を参照して説明する。
まず、一枚の布状に展開されたズボン２を、表面側を下にして水平に敷く。それから、後ろ身頃２ｃの裏面上に着用者を仰向けに寝かせる。
それから、前身頃２ａ、２ｂを裏面が内側となるよう、脇線３１、３２に従って折り曲げ、後ろ身頃２ｃ上に仰向けになっている着用者に覆い被せる。
【００４４】
続いて、股上部連結具２２１ａ、２２１ｂ同士、筒部連結具２３１ａ、２１２ｃ同士、及び筒部連結具２３１ｂ、２１１ｃ同士を夫々、連結させる。
これにより、ズボン２の前面側が閉じられると共に、左右の両脚夫々を覆うズボン筒が形成され、着用者がズボン２を着用した状態となる。
【００４５】
以上のとおり、本例に係るズボン２についても、着用者の状態によらず、また、着用者に無理な姿勢をとらせることなく、着用者に容易にズボン２を着用させることができる。
【００４６】
なお、上述した本実施形態に係るロンパース１について、上衣と下衣を分離させ、上衣と下衣からなる衣服とすることもできる。この場合の例を図６に示す。
ロンパース４は、上衣と下衣が着脱可能に構成された衣服であり、上衣４１と下衣４２から構成される。
【００４７】
このロンパース４の上衣４１と下衣４２は夫々、ロンパース１同様、前身頃４１ａと後ろ身頃４１ｂ、あるいは前身頃４２ａと後ろ身頃４２ｂから構成され、いずれも一方の脇線側のみが連設した一枚の布状に展開可能になっている。
【００４８】
一方、上衣４１と下衣４２には、上衣４１の下端の裏面（内側）と下衣４２の上端の表面（外側）に夫々、上衣側連結具４１１ａ、４１１ｂ、下衣連結具４２１ａ、４２１ｂが設けられている。
この上衣側連結具４１１ａ、４１１ｂと下衣連結具４２１ａ、４２１ｂは、上衣連結具４１１ａと下衣連結具４２１ａ、及び上衣連結具４１１ｂと下衣連結具４２１ｂが対応する位置に設けられており、例えば、面ファスナを含むファスナ、フック、紐、あるいはボタン等によって構成される。
そして、上衣連結具４１１ａと下衣連結具４２１ａ、及び上衣連結具４１１ｂと下衣連結具４２１ｂは夫々、ロンパース１における各連結具と同様、雌雄嵌合等によって連結することができる。
【００４９】
上衣連結具４１１ａと下衣連結具４２１ａ、及び上衣連結具４１１ｂと下衣連結具４２１ｂが夫々、連結されると、ロンパース１と同様、着用者の全身を覆う衣服として構成される。
【００５０】
本例に係るロンパース４によれば、これにより、上衣連結具４１１ａと下衣連結具４２１ａ、及び上衣連結具４１１ｂと下衣連結具４２１ｂの連結を解除することで、上衣だけ、あるいは下衣だけを取り替えることができる。
【００５１】
さらに、本発明の他の参考例に係るシャツについて、図７及び図８を参照して説明する。
本例に係るシャツ５は、所定の箇所で一枚の布状に展開可能に構成された上衣である。即ち、このシャツ５は、着用者の前面側を覆う二片の前身頃５ａ、５ｂと着用者の後面側を覆う後ろ身頃５ｃからなり、前身頃５ａと後ろ身頃５ｂの連結を開放すると、前身頃５ａ、５ｂを肩線６１、６２に沿って展開することができるようになっている。
【００５２】
このような本例に係るシャツ５は、例えば、綿、ポリエステル、綿とポリエステルが混合した素材等を編地として作製することができるが、一般的な衣服の編地として使用されるものであれば、その素材等は特に限定されない。
【００５３】
また、シャツ５の各部にいて詳述していくと、前身頃５ａは、胴体部５１ａと袖部５２ａから構成される。
胴体部５１ａは、後ろ身頃５ｃと肩線６１において連設し、着用者の前面側の右側を覆う部分である。また、袖部５２ａは、胴体部５１ａの一端側から延び出した部分であり、着用者の前面側のうち、上腕部を覆うと共に、袖を形成する。
【００５４】
前身頃５ｂは前身頃５ａと同様、胴体部５１ｂと袖部５２ｂから構成される。
胴体部５１ｂは、後ろ身頃５ｃと肩線６２において連設し、着用者の前面側の左側を覆う部分である。また、袖部５２ｂは、胴体部５１ｂの一端側から延び出した部分であり、着用者の前面側のうち、上腕部を覆うと共に、袖を形成する。
【００５５】
一方、後ろ身頃５ｃは、中央の胴体部５１ｃ、着用者の右上腕部を覆い、袖部５２ａと共に袖を形成する袖部５２ｃ、着用者の左上腕部を覆い、袖部５２ｂと共に袖を形成する袖部５３ｃによって構成される。
【００５６】
また、前身頃５ａについて、胴体部５１ａには、裏面側に脇線に沿って胴体部連結具５１１ａが設けられている。また、袖部５２ａには、裏面側に脇線の延長線上に袖部連結具５２１ａが設けられている。
【００５７】
また、前身頃５ｂについて、胴体部５１ｂには、裏面側に脇線に沿って胴体部連結具５１１ｂが設けられている。また、袖部５２ｂには、裏面側に脇線の延長線上に袖部連結具５２１ｂが設けられている。
【００５８】
一方、後ろ身頃５ｃについて、胴体部５１ｃには、胴体部連結具５１１ａ、５１１ｂに対応して、胴体部連結具５１１ｃ、５１１ｄが設けられている。また、袖部５２ｃには袖部連結具５２１ａに対応して、袖部連結具５２１ｃが設けられている。さらに、袖部５３ｃには袖部連結具５２１ｂに対応して、袖部連結具５３１ｃが設けられている。
【００５９】
ここで、各連結具は、本例では面ファスナによって構成され、互いに対応する位置に設けられている連結具同士は、着用者がシャツ５を着用する際に互いに連結可能となっている。
また、前身頃５ａには、中央の前身頃５ｂと僅かに重なる部分の表面に複数のボタン５１０ａが設けられ、前身頃５ｂには、これに対応した複数のボタン孔５１０ｂが設けられており、ボタン５１０ａをボタン孔５１０ｂに係止させることで、前身頃５ａ、５ｂ同士を連結し、着用者の前面を閉じることができる。
なお、本例においても、各連結具は他のスナップファスナ、フック、ボタン、あるいは紐によって構成することができ、各場合に連結される構成については、上述したロンパース１の例と同様である。また、前身頃５ａ、５ｂ同士の連結についても、ボタン以外に、面ファスナ、スナップファスナ、フック等を用いることができる。
【００６０】
本例において、胴体部連結具５１１ａと胴体部連結具５１１ｃ、及び胴体部連結具５１１ｂと胴体部連結具５１１ｄが連結されると、これにより、シャツ５の脇が閉じられる。また、袖部連結具５２１ａと袖部連結具５２１ｃ、あるいは袖部連結具５２１ｂと袖部連結具５３１ｃが連結されると、これにより、左右の両腕夫々を覆う袖が形成される。
【００６１】
このようなシャツ５を着用者が着用する際の手順について説明すると、まず、一枚の布状に展開されたシャツ５を、表面側を下にして水平に敷く。それから、後ろ身頃５ｃの裏面上に着用者を仰向けに寝かせる。
それから、前身頃５ａ、５ｂを裏面が内側となるよう、肩線６１、６２に従って折り曲げ、後ろ身頃５ｃ上に仰向けになっている着用者に覆い被せる。
【００６２】
続いて、胴体部連結具５１１ａと胴体部連結具５１１ｃ、胴体部連結具５１１ｂと胴体部連結具５１１ｄ、袖部連結具５２１ａと袖部連結具５２１ｃ、及び袖部連結具５２１ｂと袖部連結具５３１ｃを連結させる。さらに、ボタン５１０ａをボタン孔５１０ｂに係止させる。
これにより、脇部分が閉じられると共に、左右の両腕夫々を覆う袖が形成され、着用者がシャツ５を着用した状態となる。
【００６３】
以上のとおり、本例に係るシャツ５についても、着用者の状態によらず、また、着用者に無理な姿勢をとらせることなく、着用者に容易にシャツ５を着用させることができる。
なお、本例では、半袖のシャツ５を示したが、同様の構成によって長袖とすることもできる。
【符号の説明】
【００６４】
１        ロンパース
１ａ      前身頃
１ｂ      後ろ身頃
１１ａ    前面側胴体部
１１ｂ    後面側胴体部
１２ａ    前面側肩当部
１２ｂ    後面側肩当部
１２１ａ、１２１ｂ    肩部連結具
１３ａ    前面側股当部
１３ｂ    後面側股当部
１３１ａ、１３１ｂ    股部連結具
１４ａ    前面側脇当部
１４ｂ    後面側脇当部
１４１ａ、１４１ｂ    脇部連結具
１５、１５ａ、１５ｂ、１６      脇線
２        ズボン
２ａ、２ｂ    前身頃
２ｃ      後ろ身頃
２１ａ、２１ｂ、２１ｃ    本体部
２２ａ、２２ｂ    股上部
２３ａ、２３ｂ    ズボン筒部
２２１ａ、２２１ｂ    股上部連結具
２１１ｃ、２１２ｃ、２３１ａ、２３１ｂ    筒部連結具
３１、３２    脇線
４        ロンパース
４１      上衣
４１ａ    前身頃
４１ｂ    後ろ身頃
４１１ａ、４１１ｂ    上衣連結具
４２      下衣
４２ａ    前身頃
４２ｂ    後ろ身頃
４２１ａ、４２１ｂ    下衣連結具
５        シャツ
５ａ、５ｂ    前身頃
５ｃ      後ろ身頃
５１ａ、５１ｂ、５１ｃ    胴体部
５２ａ、５２ｂ、５２ｃ、５３ｃ    袖部
５１０ａ    ボタン
５１０ｂ    ボタン孔
５１１ａ、５１１ｂ、５１１ｃ、５１１ｄ    胴体部連結具
５２１ａ、５２１ｂ、５２１ｃ、５３１ｃ    袖部連結具
６１、６２    脇線
【図１】
0003196300.tif 000003
【図２】
0003196300.tif 000004
【図３】
0003196300.tif 000005
【図４】
0003196300.tif 000006
【図５】
0003196300.tif 000007
【図６】
0003196300.tif 000008
【図７】
0003196300.tif 000009
【図８】
0003196300.tif 000010